(57)【要約】      （修正有）【課題】係員１名による試験作業であっても、感知器試験中に起きた火災を確実に知って迅速且つ適切に対処可能とする。【解決手段】試験治具１６に設けた感知器試験端末装置２４は、火災感知器１４に設けたタグ１８のタグ識別情報をタグリーダ２０で読み取ってタグ読取信号を受信機１０側に配置した感知器試験判定装置２６に送信する。受信機１０は火災検出信号を受信した場合に感知器識別信号を感知器試験判定装置２６に移報出力する。感知器試験判定装置２６は、感知器識別信号とこれに対応するタグ読取信号との両方を受信した場合は試験した火災感知器の正常を判定し、感知器識別信号を受信することなくタグ読取信号のみを受信した場合は試験した火災感知器の異常を判定し、更に、タグ読取信号を受信することなく感知器識別信号のみを受信した場合は火災を判定し、各判定結果を感知器試験端末装置２４に送信して報知させる。【選択図】図１
2014178936.tif 000002
【特許請求の範囲】
【請求項１】
火災感知器から送信された固有の感知器識別情報を含む火災検出信号を受信機で受信して火災警報を出力する火災報知設備の感知器試験システムに於いて、
前記火災感知器に設けられ、読み取り可能にタグ識別情報を記憶したタグ手段と、
前記火災感知器の動作試験治具に配置され、前記タグ手段のタグ識別情報を読み取ってタグ読取信号を外部へ送信すると共に、外部から受信した試験判定信号に基づく判定結果を報知する感知器試験端末手段と、
前記受信機で火災検出信号を受信した場合に、当該火災検出信号に含まれる感知器識別情報を含む感知器識別信号を外部に移報出力する移報手段と、
前記感知器識別信号とこれに対応する前記タグ読取信号の両方を受信した場合は試験した火災感知器の正常を判定し、前記感知器識別信号を受信することなく前記タグ読取信号のみを受信した場合は試験した火災感知器の異常を判定し、更に、前記タグ読取信号を受信することなく前記感知器識別信号のみを受信した場合は火災を判定し、前記各判定結果を前記感知器試験端末手段に送信して報知させる感知器試験判定手段と、
を備えたことを特徴とする火災報知設備の感知器試験システム。
【請求項２】
請求項１記載の火災報知設備の感知器試験システムに於いて、
前記受信機は、操作部による感知器試験モードの設定操作を検出した場合に、所定の火災警報動作を禁止する感知器試験モードを設定し、
前記感知器試験判定手段は、前記タグ読取信号を受信することなく前記感知器識別信号のみを受信して火災を判定した場合、試験モード解除信号を前記受信機に出力して前記感知器試験モードを解除させることを特徴とする火災報知設備の感知器試験システム。
【請求項３】
請求項１記載の火災報知設備の感知器試験システムに於いて、前記感知器試験判定手段を、前記受信機の機能として設けたことを特徴とする火災報知設備の感知器試験システム。
【請求項４】
請求項１記載の火災報知設備の感知器試験システムに於いて、前記火災感知器は前記受信機から引き出された伝送路に接続されたことを特徴とする火災報知設備の感知器試験システム。
【請求項５】
請求項１記載の火災報知設備の感知器試験システムに於いて、
前記受信機から引き出された伝送路に無線中継器を接続し、前記火災感知器は火災検出信号を前記無線中継器へ無線送信し、前記無線中継器は前記火災感知器から受信した火災検出信号を、前記伝送路を介して前記受信機に送信することを特徴とする火災報知設備の感知器試験システム。
【発明の詳細な説明】
【技術分野】
【０００１】
本発明は、試験治具を用いて火災感知器を試験する火災報知設備の感知器試験システムに関する。
【背景技術】
【０００２】
従来、火災報知設備にあっては、受信機から引き出された伝送路に、固有のアドレスを設定した複数の火災感知器を接続し、火災感知器で火災を検出した場合に、アドレスを含む火災検出信号を受信機に送信し、受信機で火災警報を出力するようにしている。
【０００３】
また、火災報知設備にあっては、設備を施工した場合、設置した火災感知器が所定の場所に正しく設置されていることを確認する目的で火災感知器の作動確認をおこなう必要があり、その中で、試験治具を用いて火災感知器を実際に作動させる感知器試験を行う。
【０００４】
感知器試験は、受信機に一人、感知器側に一人の２名の係員により行われる。感知器側の係員は、支持ポールの先端に試験ヘッドを設けた試験治具を使用し、試験ヘッドを例えば煙感知器を覆うように下から密着させ、この状態で試験ヘッドから煙を流入させる煙感知器を動作するか、あるいは磁石によるリードスイッチ等の動作で煙感知器を擬似的に動作し、受信機の係員が火災感知器の動作試験に伴う火災受信の有無を確認し、インターホンなどで連絡を取りながら試験作業を進めている。
【０００５】
このように、感知器試験は少なくとも２名の係員が必要であり、作業工数の削減を目的として、これを１名でできるようにした感知器試験システムが期待されている。例えば受信機に火災受信を検出して試験結果として打ち出すプリンタを設け、試験治具を用いて警戒区域に設置している火災感知器の動作試験を行い、感知器試験が終了した時点でプリンタの記録内容をみることで、動作試験を行った火災感知器が正常か異常かを判断する感知器試験システムである。
【０００６】
このような係員１名による感知器試験では、受信機側に係員がつかず、感知器試験に伴う受信機からの火災警報の復旧操作が行えないことから、感知器試験に先立ち、例えば地区音響警報については警報停止操作を行っておき、また受信機から出す主音響警報については、復旧操作によらず、火災検出信号が受信されている間だけ警報を出力するように設定する操作を行うことになる
【先行技術文献】
【特許文献】
【０００７】
【特許文献１】特開平０５−１５１４７８号公報
【発明の概要】
【発明が解決しようとする課題】
【０００８】
しかしながら、係員１名による感知器試験を可能とした感知器試験システムにあっては、感知器の試験作業中に実際に火災が発生した場合、受信機から火災警報が出力されるが、この火災警報が感知器試験によるものか、実際に起きた火災によるものかの区別がつきにくく、また受信機からの警報音が聞こえにくい場所で作業している場合もあり、火災に気付くまでに時間がかかり、迅速且つ適正な対処ができなくなる恐れがある。
【０００９】
また、感知器試験の作業中に、係員が火災を知った場合、受信機に戻って地区音響災警報を出力させる操作を必要とし、地区音響警報が出力されるまでに時間がかかる問題もある。
【００１０】
本発明は、係員１名による試験作業であっても、感知器試験中に起きた火災を確実に知って迅速且つ適切に対処可能とする火災報知設備の感知器試験システムを提供することを目的とする。
【課題を解決するための手段】
【００１１】
（感知器試験システム）
本発明は、火災感知器から送信された固有の感知器識別情報（感知器アドレス）を含む火災検出信号を受信機で受信して火災警報を出力する火災報知設備の感知器試験システムに於いて、
火災感知器に設けられ、読み取り可能にタグ識別情報（タグＩＤ）を記憶したタグ手段と、
火災感知器の試験治具に配置され、タグ手段のタグ識別情報を読み取ってタグ読取信号を外部へ送信すると共に、外部から受信した試験判定信号に基づく判定結果を報知する感知器試験端末手段と、
受信機で火災検出信号を受信した場合に、当該火災検出信号に含まれる感知器識別情報を含む感知器識別信号を外部に移報出力する移報手段と、
感知器識別信号とこれに対応するタグ読取信号との両方を受信した場合は試験した火災感知器の正常を判定し、感知器識別信号を受信することなくタグ読取信号のみを受信した場合は試験した火災感知器の異常を判定し、更に、タグ読取信号を受信することなく感知器識別信号のみを受信した場合は火災を判定し、各判定結果を感知器試験端末手段に送信して報知させる感知器試験判定手段と、
を備えたことを特徴とする。
【００１２】
（感知器試験モードの自動解除）
受信機は、操作部による感知器試験モードの設定操作を検出した場合に、所定の火災警報動作を禁止する感知器試験モードを設定し、
感知器試験判定手段は、タグ読取信号を受信することなく感知器識別信号のみを受信して火災を判定した場合、試験モード解除信号を受信機に出力して感知器試験モードを解除させる。
【００１３】
（受信機との一体化）
感知器試験判定手段を、受信機の機能として設ける。
【００１４】
（有線伝送）
火災感知器は前記受信機から引き出された伝送路に接続される。
【００１５】
（無線伝送）
受信機から引き出された伝送路に無線中継器を接続し、火災感知器は火災検出信号を無線中継器へ無線送信し、無線中継器は火災感知器から受信した火災検出信号を、伝送路を介して受信機に送信する。
【発明の効果】
【００１６】
（基本的な効果）
本発明による火災報知設備の感知器試験システムによれば、火災感知器の動作試験を試験治具により行う場合に、試験治具側の感知器試験端末手段により、火災感知器に設けたタグ手段のタグ識別情報を読み取ってタグ読取信号を受信機側に配置した感知器試験判定手段に送信し、受信機の移報手段により火災検出信号を受信した場合に感知器識別信号を感知器試験判定手段に移報出力し、感知器試験判定手段は、感知器識別信号とこれに対応するタグ読取信号との両方を受信した場合は試験した火災感知器の正常を判定し、感知器識別信号を受信することなくタグ読取信号のみを受信した場合は試験した火災感知器の異常を判定し、更に、タグ読取信号を受信することなく感知器識別信号のみを受信した場合は火災を判定し、各判定結果を感知器試験端末手段に送信して報知させるようにしたため、係員１名により試験治具を用いた試験作業を可能にすると共に、試験作業中に火災が起きた場合は、感知器試験判定手段でタグ読取信号を受信することなく感知器識別信号のみを受信することで実火災を判定して係員側に通知し、係員１名による試験作業であっても、感知器試験中に起きた火災を確実に知って迅速且つ適切に対処可能とする。
【００１７】
（感知器試験モードの自動解除による効果）
また、感知器試験作業に伴い受信機に地区音響停止等の所定の火災警報動作を禁止する感知器試験モードを設定した場合、感知器試験判定手段でタグ読取信号を受信することなく感知器識別信号のみを受信して火災を判定した場合に、試験モード解除信号を受信機に出力して感知器試験モードを解除させるようにしたため、感知器試験を行っている係員に実火災が通知された場合、受信機に戻って行う操作を必要とすることなく、受信機の感知器試験モードが自動的に解除され、通常監視中の場合と同様に、実火災に基づく火災検出信号の受信により火災警報を出力することができ、感知器試験中に起きた火災に対し迅速且つ適切な対処可能とする。
【００１８】
また、万が一、感知器試験を行っている係員が、感知器試験モードを解除し忘れて、建物を離れた場合があったとしても、感知器試験判定手段でタグ読取信号を受信することなく感知器識別信号のみを受信して火災を判定した場合に、受信機の感知器試験モードが自動的に解除され、通常監視中の場合と同様に、実火災に基づく火災検出信号の受信により火災警報を出力することができる。
【図面の簡単な説明】
【００１９】
【図１】本発明による火災報知設備の感知器試験システムの概略を示した説明図
【図２】図１における感知器側の試験治具及び感知器試験端末装置の実施形態を示した説明図
【図３】図１における受信機及び感知器試験判定装置の実施形態を示した回路ブロック図
【図４】図３の感知器試験判定装置に記憶した感知器アドレスとタグＩＤの対応テーブルを示した説明図
【図５】無線感知器を用いた火災報知設備の感知器試験システムの概略を示した説明図
【発明を実施するための形態】
【００２０】
（感知器試験システムの概要）
図１は本発明による火災報知設備の感知器試験システムの概略を示した説明図である。図１に示すように、建物の管理人室などに設置した受信機１０からは建物内の警戒区域に向けて伝送路１２が引き出されており、警戒区域内の所定の感知区域ごとに設置した火災感知器１４を伝送路１２に接続している。
【００２１】
火災感知器１４は火災に伴う煙を検出する煙感知器又は火災に伴う熱を検出する熱感知器である。火災感知器１４には固有の感知器識別情報としてアドレスが予め設定されている。火災感知器１４は煙濃度又は温度の検出信号から火災を検出した場合、自己のアドレスを含む火災検出信号を受信機１０に送信する。
【００２２】
受信機１０は伝送路１２を介して火災感知器１４が送信した火災検出信号を受信すると、主音響警報、地区音響警報、代表火災表示、地区火災表示等による火災警報の出力を行う。なお、受信機１０と火災感知器１４の間で行う火災検出信号の伝送方式は、ポーリング方式や割込方式として知られた適宜の伝送方式がとられる。
【００２３】
このような火災報知設備に対し本発明の感知器試験システムにあっては、火災感知器１４にタグ手段としてタグ１８を設け、試験治具１６に感知器試験端末手段として感知器試験端末装置２４を装着し、受信機１０に移報手段として移報通信部（図示せず）を設け、更に、受信機１０側に感知器試験判定手段として感知器試験判定装置２６を設ける。
【００２４】
試験治具１６は、係員２２が持つ支持ポール１６ａの先端に試験ヘッド１６ｂを装着しており、試験ヘッド１６ｂは上方に開いたカップ形状であり、内部に煙又は熱を発生する試験部を備え、火災感知器１４に設けたタグ１８に記憶した情報を非接触で読み出すタグリーダ２０を設け、更に、支持ポール１６ａの下部に感知器試験端末装置２４を装着している。
【００２５】
火災感知器１４に設けたタグ１８は、電源を内蔵していないパッシブ型であり、ＣＰＵ、メモリ、通信部、アンテナを実装したＩＣチップで構成し、タグ識別情報として固有のタグＩＤをメモリに記憶しており、感知器試験のために火災感知器１４を下から覆うように試験治具１６の試験ヘッド１６ｂを火災感知器１４に嵌め入れると、試験ヘッド１６ｂに設けたタグリーダ２０から送信している読取電波の受信により電源を生成して動作し、メモリからタグＩＤを読み取り、タグＩＤを含むタグ読取信号をタグリーダ２０に送信し、タグリーダ２０から感知器試験端末装置２４へ送信し、更に感知器試験端末装置２４から受信機１０側の感知器試験判定装置２６へタグ読取信号を送信している。
【００２６】
受信機１０側に設けた感知器試験判定装置２６は、受信機１０で火災検出信号を受信した場合に、内蔵した移報通信部により出力される感知器アドレスを含む感知器識別信号と、感知器試験端末装置２４から送信されるタグ読取信号を受信し、次の判定制御を行う。
（１）  所定時間内に感知器識別信号とこれに対応するタグ読取信号との両方を受信した場合は試験した火災感知器の正常を判定し、正常判定信号を送信する。
（２）  所定時間内に感知器識別信号を受信することなくタグ読取信号のみを受信した場合は試験した火災感知器の異常を判定し、異常判定信号を送信する。
（３）  所定時間内にタグ読取信号を受信することなく感知器識別信号のみを受信した場合は火災を判定し、火災判定信号を送信する。
【００２７】
感知器試験判定装置２６から送信された各判定信号は、試験治具１６に装着している感知器試験端末装置２４で受信され、感知器試験端末装置２４は正常、異状、又は火災の何れかの判定結果を報知して係員２２に知らせる。
【００２８】
また感知器試験判定装置２６は、タグ読取信号を受信することなく感知器識別信号のみを受信して火災を判定した場合、受信機１０に対し試験モード解除信号を送信し、受信機１０で感知器試験に伴う所定の警報出力を禁止する感知器試験モードの設定が行われていた場合、この感知器試験モードを解除して通常の監視モードに戻す制御を行わせる。
【００２９】
また感知器試験判定装置２６は、所定時間内に感知器識別信号を受信することなくタグ読取信号のみを受信した場合、受信機１０に対し感知器の蓄積・遅延機能モード解除信号を送信し、受信機１０で感知器の蓄積・遅延機能モードの設定が行われていた場合、この感知器の蓄積・遅延機能モードを解除して、感知器の火災検出信号を早期に取得し、試験時間を短縮できる。
【００３０】
（感知器試験端末装置の構成）
図２は図１における感知器側の試験治具及び感知器試験端末装置の実施形態を示した説明図である。
【００３１】
図２に示すように、試験治具１６の試験ヘッド１６ｂには火災感知器１４に設けたタグ１８に記憶したタグＩＤを読み取るタグリーダ２０を設け、また試験治具１６の支持ポール１６ａの下部には感知器試験端末装置２４を装着している。
【００３２】
感知器試験端末装置２４は、右側に取り出して示す回路ブロック図のように、制御部３０、タグリーダ２０を接続したタグ通信部３２、アンテナ３６を接続した通信部３４、報知部３８及び操作部４０を備え、図示しない電池電源により動作する。
【００３３】
制御部３０は、例えばプログラムの実行により実現される機能あり、ハードウェアとしては、ＣＰＵ、メモリ、各種の入出力ポート等を備えたコンピュータ回路等を使用する。
【００３４】
タグ通信部３２は、制御部３０の指示を受けて読取要求信号をタグリーダ２０に送信してタグ１８の読取動作を行わせ、これにより得られたタグＩＤを含むタグ読取信号を受信して制御部３０に出力するインタフェースとして動作する。
【００３５】
通信部３４は、制御部３０からの指示により、タグＩＤを含むタグ読取信号を受信機側の感知器試験判定装置２６へ無線送信し、また感知器試験無線装置２６から受信した各種の判定信号を制御部３０に出力する。
【００３６】
報知部３４は、制御部３０の指示に基づき、試験判定結果して正常又は異常を報知し、更に、感知器試験中に起きた火災を報知する。報知部３４には例えば音を出力するスピーカ又はブザーなどの音響素子に加え、例えば表示色の異なる正常表示ＬＥＤ３８ａ（緑）、異常表示ＬＥＤ１６ｃ（黄）、火災警報ＬＥＤ１６ｃ（赤）を設けており、音と表示により正常、異常または火災を報知する。
【００３７】
操作部４０は、例えば電源スイッチを備え、試験治具１６により火災感知器１４の動作試験を行う場合に電源スイッチをオン操作して感知器試験端末装置２４を動作状態とする。
【００３８】
制御部３０は、操作部４０の電源スイッチをオンした動作状態で、所定周期毎にタグ通信部３２に指示してタグリーダ２０によるタグ１８の読取動作を繰り返しており、タグ通信部３２を介してタグ読取信号を受信した場合、通信部３４に指示してタグ読取信号を無線送信させる制御を行う。
【００３９】
また、制御部３０は、通信部３４を介して感知器試験判定装置２６が送信した正常、異常、又は火災の判定信号を受信した場合、報知部３８に指示して音響出力を行うと共に、正常で正常ＬＥＤ３８ａを点灯し、異常で異常ＬＥＤ３８ｂを点灯し、火災で火災ＬＥＤ３８ｃを点灯又は点滅させる制御を行う。
【００４０】
（受信機及び感知器試験判定装置の構成）
図３は、図１における受信機及び感知器試験判定装置の実施形態を示した回路ブロック図である。
【００４１】
図３に示すように、受信機１０は、受信制御部４２、伝送回路部４４、報知部４６、操作部４８、移報通信部５０を備える。受信制御部４２は、例えばプログラムの実行により実現される機能あり、ハードウェアとしては、ＣＰＵ、メモリ、各種の入出力ポート等を備えたコンピュータ回路等を使用する。
【００４２】
伝送回路部４４は、複数の伝送路１２を引き出しており、図１に示したように、伝送路１２に火災感知器１４を接続し、火災感知器１４の火災検出または試験動作により送信された感知器アドレスを含む火災検出信号を受信して受信制御部４２に出力する。
【００４３】
報知部４６は、受信制御部４６の指示に基づき、主音響警報の出力、及び図示しない警戒区域に設置した地区音響装置で行う地区音響警報の出力、代表火災灯による火災表示、地区表示灯による火災地区表示等を行う。
【００４４】
操作部４８は、受信制御に必要な各種の操作スイッチを備え、感知器試験に関連するスイッチとして感知器試験モード設定スイッチを設けており、感知器試験を行う場合には、感知器試験モード設定スイッチを操作して例えば主音響と地区音響を禁止するといった所定の警報禁止モードを設定する。
【００４５】
移報通信部５０は、移報手段として機能し、受信制御部４２で火災感知器からの火災検出信号の受信に基づく指示を受けて、当該火災検出信号に含まれる感知器アドレスを含む感知器識別信号を感知器試験判定装置２６に出力する。
【００４６】
受信制御部４２は、伝送回路部４４を介して火災検出信号を受信した場合、報知部４６に火災警報の出力を指示する制御を行い、これにより報知部４６は主音響と地区音響による音響警報と、代表火災表示と地区火災表示による警報表示を行う。
【００４７】
また、受信制御部４２は、操作部４８に設けた感知器試験モード設定スイッチの設定操作を検出した場合は、感知器試験モードを設定し、火災検出信号の受信した場合、報知部４６による主音響及び地区音響を禁止する制御を行う。また、受信制御部４２は、感知器試験モードの設定中に、移報通信部５０を介して感知器試験判定装置２６から感知器試験モード解除信号を受信した場合、感知器試験モードを解除して、報知部４６による主音響及び地区音響の禁止を解除する制御を行う。
【００４８】
（感知器試験判定装置の構成）
図３に示すように、感知器試験判定装置２６は、判定制御部５２、アンテナ５６を接続した通信部５４、及び受信機１０と接続する移報通信部５８を備える。判定制御部５２は、例えばプログラムの実行により実現される機能あり、ハードウェアとしては、ＣＰＵ、メモリ、各種の入出力ポート等を備えたコンピュータ回路等を使用する。電源は受信機１０から受けても良いし、電池電源を内蔵しても良い。
【００４９】
通信部５４は、試験治具１６に装着した感知器試験端末装置２４からのタグ読取信号を受信して判定制御部５２に出力すると共に、判定制御部５２の指示を受けて正常、異常、又は火災の判定信号を無線送信する。
【００５０】
移報通信部５８は、受信機１０の移報通信部５０と信号線接続し、受信機１０側から受信した感知器識別信号を判定制御部５２に出力すると共に、判定制御部５２の指示を受けて感知器試験モード解除信号を受信機１０に出力する。
【００５１】
判定制御部５２は、そのメモリに、図４に示す感知器アドレスとタグＩＤの対応テーブルを記憶しており、この対応テーブルを利用して感知器試験の正常、異常、更に火災を判定する。
【００５２】
判定制御部５２は、感知器識別信号とこれに対応するタグ読取検出信号の両方を受信した場合は試験した火災感知器の正常を判定する。例えば図１のアドレスＡ１の火災感知器１４に設けたタグ１８にタグＩＤとしてＩＤ１を記憶していたとすると、この火災感知器１４の動作試験に伴い受信した感知器識別信号に含まれる感知器アドトレスＡ１により図４の対応テーブルを参照して対応するタグＩＤ＝ＩＤ１を読出し、受信したタグ識別信号に含まれるタグＩＤ＝ＩＤ１に一致することで、感知器識別信号とこれに対応するタグ読取検出信号の両方の受信を判別し、試験した火災感知器の正常を判定する。
【００５３】
また、判定制御部５２は、感知器識別信号を受信することなくタグ読取信号のみを受信した場合は試験した火災感知器の異常を判定し、通信部５４に指示して異常判定信号を送信する制御を行う。この場合、判定制御部５２は、タグ読取信号のタグＩＤにより図４の対応テーブルを参照することで、異常と判定した感知器アドレスを取得することができ、例えばメモリに試験データとして異常と判定した感知器アドレスを記憶して利用可能とする。
【００５４】
また、判定制御部５２は、感知器識別信号のみを受信した場合は火災を判定し、通信部５４に指示し火災判定信号を送信すると共に、移報通信部５８に指示して感知器試験モード解除信号を送信させる制御を行う。
【００５５】
また、判定制御部５２は、感知器試験中に別の火災感知器で火災を検出した場合、感知器試験による感知器識別信号とこれに対応するタグ読取信号の受信に続き、またはそれ以前に火災に伴う別の感知器識別信号を受信する場合がある。この場合、感知器試験の正常と火災を逐次判定することになるが、火災判定を優先し、通信部５４に指示して火災判定信号を送信する制御を行う。
【００５６】
（火災感知器の試験作業）
火災報知設備において火災感知器１４の動作試験を行う場合、係員は受信機１０の感知器試験モード設定スイッチを操作して受信機１０に主音響及び地区音響を禁止する感知器試験モードを設定する。
【００５７】
続いて係員は火災感知器１４の設置場所に行き、感知器試験端末装置２４の電源スイッチをオンして動作状態とし、試験治具１６を使用して火災感知器１４の動作試験を行う。このとき火災感知器１４に設けたタグ１８のタグＩＤがタグリーダ２０により読み取られ、感知器試験端末装置２４はタグＩＤを含むタグ読取信号を受信機１０側の感知器試験判定装置２６へ送信する。
【００５８】
また試験治具１６により試験動作した火災感知器１４は伝送路１２を介して感知器アドレスを含む火災検出信号を受信機１０に送信し、これを受信した受信機１０は感知器試験モードの設定により主音響と地区音響の音響警報は行わないが、火災代表表示と地区表示は行い、受信機１０においても、感知器試験による動作が分かる。また、受信機１０は火災検出信号の受信に基づき感知器試験判定装置２６に感知器アドレスを含む感知器識別信号を送信する。
【００５９】
このため感知器試験判定装置２６は感知器識別信号とこれに対応するタグ読取信号を受信することから、試験した感知器が正常であると判定し、感知器試験端末装置２４に正常判定信号を送信して正常を報知し、これにより係員２２は感知器動作試験の試験結果が正常であることを知り、次の火災感知器１４の試験を行う。
【００６０】
一方、試験を行った火災感知器１４に何らかの障害があった場合は、受信機１０で火災検出信号が受信されないため、受信機１０から感知器試験判定装置２６に感知器識別信号が出力されず、このため感知器試験判定装置２６はタグ識別信号のみの受信から試験した火災感知器が異常であると判定し、感知器試験端末装置２４に異常判定信号を送信して異常を報知し、これにより係員２２は感知器動作試験の試験結果が異常であることを知り、火災感知器交換などの必要な対処を行う。
【００６１】
一方、感知器試験の作業中に、別の場所で火災が発生し、その場所の火災感知器から火災検出信号が送信された場合、感知器試験判定装置２６は受信機１０から感知器識別信号を受信するが、感知器試験端末装置２４からタグ読取信号は受信せず、このため火災と判定し、感知器試験端末装置２４に火災判定信号を送信して火災を報知し、これにより係員２２は別の場所で火災が発生したことを知り、必要な対処を行うことができる。
【００６２】
また、感知器試験判定装置２６は火災判定した場合に受信機１０に感知器試験モード解除信号を送信し、これを受けて受信機１０の感知器試験モードが解除され、そのとき受信している火災検出信号に基づき、主音響及び地区音響による火災警報を、感知器試験により阻害されることなく、確実に出力することができる。
【００６３】
（無線火災感知器を用いた火災報知設備）
図５は無線火災感知器を用いた火災報知設備の感知器試験システムの概略を示した説明図である。
【００６４】
図５に示すように、建物の管理人室などに受信機１０を設置すると共に、警戒区域内の所定の感知区域ごとに無線火災感知器６０を設置し、更に、無線火災感知器６０の通信可能エリアに無線中継器６２を設置し、受信機１０に伝送路１２で接続している。
【００６５】
無線火災感知器６０は火災に伴う煙又は熱を検出し、固有の感知器アドレスを含む火災検出信号を無線送信する。無線火災感知器６０から送信した火災検出信号は無線中継器６２で受信され、伝送路１２を介して受信機１０に送信される。受信機１０は伝送路１２を介して無線中継器６２から無線火災感知器６０が送信した火災検出信号を受信すると、主音響警報、地区音響警報、代表火災表示、地区火災表示等による火災警報の出力を行う。
【００６６】
このような無線火災感知器６０を設けた火災報知設備についても、図１の火災報知設備の場合と同様に、本発明の感知器試験システムとして、無線火災感知器６０火災感知器１４にタグ１８を設け、試験治具１６にタグリーダ２０を備えた感知器試験端末装置２４を装着し、受信機１０に移報手段として移報通信部（図示せず）を設け、受信機１０に感知器試験判定装置２６を接続する。ここで、感知器試験端末装置２４、受信機１０及び感知器試験判定装置２６の構成は、図２及び図３の実施形態と同様であることから、説明を省略する。
【００６７】
これにより感知器試験判定装置２６は、試験治具１６の感知試験端末装置２４からのタグ読取信号と無線火災感知器６０からの感知器識別信号の両方を受信した場合は、試験した無線火災感知器６０の正常を判定し、正常判定信号を感知器試験端末装置２４に送信して正常を報知し、またタグ読取信号のみを受信した場合は試験した無線火災感知器６０の異常を判定し、異常判定信号を感知器試験端末装置２４に送信して異常を報知し、更に、感知器識別信号のみを受信した場合は火災を判定し、火災判定信号を感知器試験端末装置２４に送信して火災を報知すると共に、受信機１０に感知器試験モード解除信号を送信して感知器試験モードを解除して音響警報を出力させる。
【００６８】
［本発明の変形例］
（感知器試験端末装置）
上記の実施形態にあっては、試験治具に対し感知器試験端末装置を外部装置として設けているが、試験治具（タグリーダ）との通信が可能である機能を有していれば、スマートフォン、ＰＤＡなど携帯端末であっても良い。
【００６９】
（感知器試験判定装置）
上記の実施形態にあっては、受信機に対し感知器試験判定装置を外部装置として設けているが、感知器試験判定装置の機能を受信機に内蔵しても良い。
【００７０】
（感知器試験端末装置と感知器試験判定装置との通信）
受信機側に設置した感知器試験判定装置と、試験治具に装着した感知器試験端末装置との間の通信距離は、試験する火災感知器の設置場所により様々であり、両者間で電波が届かない場合も想定され、その場合には、必要に応じて中継装置を間に設置して中継通信を行うようにする。このために使用する中継装置は、固定設置したものでもよいし、感知器試験の際に一時的に設置して使用する携帯型のものでも良い。
【００７１】
（その他）
また、本発明は上記の実施形態に限定されず、その目的と利点を損なうことのない適宜の変形を含み、更に上記の実施形態に示した数値による限定は受けない。
【符号の説明】
【００７２】
１０：受信機
１２：伝送路
１４：火災感知器
１６：試験治具
１８：タグ
２０：タグリーダ
２２：係員
２４：感知器試験端末装置
２６：感知器試験判定装置
３０：制御部
３２：タグ通信部
３４，５４：通信部
３８，４６：報知部
４０，４８：操作部
４２：受信制御部
４４：伝送回路部
５０，５８：移報通信部
５２：判定制御部
６０：無線火災感知器
６２：無線中継器
【図１】
2014178936.tif 000003
【図２】
2014178936.tif 000004
【図３】
2014178936.tif 000005
【図４】
2014178936.tif 000006
【図５】
2014178936.tif 000007